(57)【要約】【課題】ダンボール製パレットを用いて軽量化を図りつつ、極めて簡単な構造にて、充分な強度を発揮して、梱包体の段積み輸送を可能ならしめる、レベルワウンドコイルの梱包体構造を提供すること。【解決手段】ダンボール製のパレット１２上にレベルワウンドコイル１４を積み重ね、その上に、天蓋部材１８を位置せしめ、そして、天蓋部材１８の対応する端部を支持する支柱２０を、かかる積み重ねられたレベルワウンドコイル１４の側部に配設すると共に、支柱２０がパレット１２を通ってパレット載置面に当接するように構成して、天蓋部材１８に加わる荷重が、支柱２０を介して、パレット１２載置面にて支持されるように構成し、更に、パレット１２、レベルワウンドコイル１４、天蓋部材１８及び支柱２０を、樹脂フィルムを用いた梱包によって一体化せしめた。【選択図】図１
2012062068.tif 000002
【特許請求の範囲】
【請求項１】
ダンボール製のパレット上に、レベルワウンドコイルの複数個を積み重ねる一方、最上段のレベルワウンドコイルの上に、該レベルワウンドコイルの直径方向において外方に突出する天蓋部材を位置せしめ、更に、該天蓋部材の対応する端部を支持する支柱を、前記積み重ねられた複数個のレベルワウンドコイルの側部に立設するように配設すると共に、前記パレットを通って下方に延びる該支柱の下端面と該パレットの脚部の下面との高さを一致せしめ、それらが一つの水平面上に位置するように構成して、前記天蓋部材に加わる荷重が、前記パレットの載置される載置面にて、前記支柱を通じて支持されるようになっていることを特徴とするレベルワウンドコイルの梱包体構造。
【請求項２】
前記天蓋部材が、板材にて十文字形状に形成されており、該十文字形状の４つの端部において、それぞれ、前記支柱にて支持されている請求項１に記載のレベルワウンドコイルの梱包体構造。
【請求項３】
前記立設される支柱に対応する前記パレットの周縁部位に対して、該支柱が嵌合せしめられる切欠き凹所を、側方に開口するように設け、該切欠き凹所に嵌合せしめた状態において、該支柱が立設されている請求項１又は請求項２に記載のレベルワウンドコイルの梱包体構造。
【請求項４】
前記パレットが、矩形の平面形状を有している請求項１乃至請求項３の何れか１項に記載のレベルワウンドコイルの梱包体構造。
【請求項５】
前記天蓋部材が上下２枚の板材にて構成されると共に、上側の板材の端部が下側の板材の端部よりも外方に突出した段付き部とされて、この段付き部に、前記支柱の上部が係止せしめられている請求項１乃至請求項４の何れか１項に記載のレベルワウンドコイルの梱包体構造。
【請求項６】
前記パレットが、矩形のダンボール製上面板を備え、且つ前記脚部として、該上面板の角部の下面にそれぞれ取り付けられた４つのダンボール製のＬ字型桁材と、該上面板の各辺の中央部の下面にそれぞれ取り付けられた４つのダンボール製の矩形桁材とを有していることを特徴とする請求項１乃至請求項５の何れか１項に記載のレベルワウンドコイルの梱包体構造。
【請求項７】
前記パレット、レベルワウンドコイル、天蓋部材及び支柱が、帯状の樹脂フィルムによる緊張巻きによって一体的に梱包され、少なくとも、前記積み重ねられる複数個のレベルワウンドコイルの側面が、該レベルワウンドコイルの側部に立設された前記支柱と共に、かかる樹脂フィルムにて被覆されていることを特徴とする請求項１乃至請求項６の何れか１項に記載のレベルワウンドコイルの梱包体構造。
【請求項８】
前記積み重ねられる複数個のレベルワウンドコイルの最下段のものと前記パレットとの間、それら積み重ねられる複数個のレベルワウンドコイルの相互の間、及びそれら積み重ねられる複数個のレベルワウンドコイルの最上段のものと前記天蓋部材との間に、それぞれ、ダンボール製の下部保持プレート、中間保持プレート、及び上部保持プレートが配置されている請求項１乃至請求項７の何れか１項に記載のレベルワウンドコイルの梱包体構造。
【請求項９】
前記上部保持プレート及び中間保持プレートが、それぞれ、前記レベルワウンドコイルの外径よりも大なる直径のダンボール製円板にて構成されている請求項８に記載のレベルワウンドコイルの梱包体構造。
【請求項１０】
前記天蓋部材及び前記支柱が、それぞれ、木製とされている請求項１乃至請求項９の何れか１項に記載のレベルワウンドコイルの梱包体構造。
【発明の詳細な説明】
【技術分野】
【０００１】
本発明は、レベルワウンドコイルの梱包体構造に係り、特に、ダンボール製パレットを用い、その上に、レベルワウンドコイルを複数個積層してなる構造のレベルワウンドコイルの梱包体に関するものである。
【背景技術】
【０００２】
従来から、エアコン等の空調機器における平滑管や内面溝付管等の伝熱管として、また建築用の給湯配管や給水配管等として、銅又は銅合金からなる銅管等が用いられてきているが、それら銅管等は、その製造工程において、一般に、レベルワウンドコイル（Level Wound Coil：以下、ＬＷＣと略称する）と称されるコイル状の形態に巻き取られ、そして、焼鈍によって所定の調質が施された後、梱包されて、エアコンメーカ等に搬送、出荷され、更に、エアコンメーカ等においては、それを開梱し、銅管等を巻き解いて、それぞれの用途に用いられるようになっている。
【０００３】
そこにおいて、かかるＬＷＣは、例えば、特開２０１０−１０７２号公報（特許文献１）の図１や図２に示される如く、銅管等の管体をボビンに整列巻きして、複数層（列）の形態において積層されるようにして、形成されることとなるのである。より具体的には、取り外し可能な内筒と側板とから構成されるボビンを、その軸方向が水平方向又は垂直方向となるようにして、所定の回転装置に取り付け、回転駆動せしめる一方、ボビンの内筒の外周面に、先ず、ボビン軸方向の一端側の位置を始端として、反対側の端部に向かって整列巻きして、円筒形状を呈する１層目のコイル層が形成される。そして、かかる反対側の端部まで管体が来て、１層目の巻回が終了した後、今度は、かかる反対側の端部から始端側に向けて、２層目のコイル層が整列巻きにて巻回されるのであるが、その際、１層目のコイル層における、隣接する管体部分間に形成される凹所に嵌まるようにして、２層目の管体部分が１層目のコイル層上に相互に接触するように、且つ密に巻回されて、２層目のコイル層が形成され、更にその後、管体が逆方向に整列巻きされて、３層目のコイル層が形成され、以下、同様にして巻回して、複数層のコイル層が積層形成される、所謂トラバース巻きの手法によって、ＬＷＣが形成されることとなる。
【０００４】
そして、かくの如くして得られるＬＷＣは、それから、ボビン（内筒＋側板）が取り外されて、管体の巻回体形態において、上記した特許文献１の図１１等に示される如く、その複数個が、上下方向に同軸的に積み重ねられて梱包体とされ、そして、この得られた梱包体が、エアコンメーカ等に向けて搬送、出荷されるようになっているのである。
【０００５】
ところで、そのようなＬＷＣの梱包体の一つとして、実公平２−３５６６４号公報（特許文献２）や実開平４−９１８９１号公報（特許文献３）等においては、ダンボール製のパッドやダンボール製の胴筒、シート状ダンボール等の梱包資材を用いてなるＬＷＣの梱包体構造が、明らかにされている。そこでは、木製のパレット上に積層された複数個のＬＷＣの側面に支持部材を立設して、その近傍をスチールバンドで結束してなる梱包構造が採用されており、そのために、そのような梱包体の複数を上下方向に段積みして、輸送する際には、スチールバンドが緩み易く、それによって、支持部材の位置が移動する恐れがあり、また、梱包体の重量を支持するパレットは木製とされているところから、重量も重く、梱包作業者にとって肉体的負担が大きなものとなるところから、その軽量化が、望まれている。
【０００６】
一方、積載物を支持するパレットの一つとして、実開昭６２−１４６７３１号公報（特許文献４）においては、ダンボールを用いて構成されたパレット構造が明らかにされ、それによって、軽量化が図られ得ることが明らかにされているが、そのようなダンボール製パレットを用いて、ＬＷＣを積層して得られる梱包体の上に、更に、同様な梱包体を段積みすると、その上部の梱包体の重量が、下部の梱包体のダンボール製パレットに、直接に或いは間接に作用するようになるところから、かかるパレットには、強度上の問題が生じ、それ故に、そのような梱包体を段積みすることは、困難なものであった。
【先行技術文献】
【特許文献】
【０００７】
【特許文献１】特開２０１０−１０７２号公報
【特許文献２】実公平２−３５６６４号公報
【特許文献３】実開平４−９１８９１号公報
【特許文献４】実開昭６２−１４６７３１号公報
【発明の概要】
【発明が解決しようとする課題】
【０００８】
ここにおいて、本発明は、上述せる如き事情を背景にして為されたものであって、その解決課題とするところは、ダンボール製パレットを用いて軽量化を図りつつ、極めて簡単な構造にて、充分な強度を発揮して、梱包体の段積み輸送を可能ならしめる、ＬＷＣの梱包体構造を提供することにある。
【課題を解決するための手段】
【０００９】
そして、本発明にあっては、上記した課題、又は本明細書全体の記載や図面から把握される課題を解決するために、以下に列挙せる如き各種の態様において、好適に実施され得るものであるが、また、以下に記載の各態様は、任意の組合せにおいても、採用可能である。なお、本発明の態様乃至は技術的特徴は、以下に記載のものに何等限定されることなく、明細書全体の記載並びに図面に開示の発明思想に基づいて、認識され得るものであることが、理解されるべきである。
【００１０】
（１）  ダンボール製のパレット上に、ＬＷＣの複数個を積み重ねる一方、最上段のＬＷＣの上に、該ＬＷＣの直径方向において外方に突出する天蓋部材を位置せしめ、更に、該天蓋部材の対応する端部を支持する支柱を、前記積み重ねられた複数個のＬＷＣの側部に立設するように配設すると共に、前記パレットを通って下方に延びる該支柱の下端面と該パレットの脚部の下面との高さを一致せしめ、それらが一つの水平面上に位置するように構成して、前記天蓋部材に加わる荷重が、前記パレットの載置される載置面にて、前記支柱を通じて支持されるようになっていることを特徴とするＬＷＣの梱包体構造。
（２）  前記天蓋部材が、板材にて十文字形状に形成されており、該十文字形状の４つの端部において、それぞれ、前記支柱にて支持されている前記態様（１）に記載のＬＷＣの梱包体構造。
（３）  前記立設される支柱に対応する前記パレットの周縁部位に対して、該支柱が嵌合せしめられる切欠き凹所を、側方に開口するように設け、該切欠き凹所に嵌合せしめた状態において、該支柱が立設されている前記態様（１）又は（２）に記載のＬＷＣの梱包体構造。
（４）  前記パレットが、矩形の平面形状を有している前記態様（１）乃至（３）の何れか一つに記載のＬＷＣの梱包体構造。
（５）  前記天蓋部材が上下２枚の板材にて構成されると共に、上側の板材の端部が下側の板材の端部よりも外方に突出した段付き部とされて、この段付き部に、前記支柱の上部が係止せしめられている前記態様（１）乃至（４）の何れか一つに記載のＬＷＣの梱包体構造。
（６）  前記パレットが、矩形のダンボール製上面板を備え、且つ前記脚部として、該上面板の角部の下面にそれぞれ取り付けられた４つのダンボール製のＬ字型桁材と、該上面板の各辺の中央部の下面にそれぞれ取り付けられた４つのダンボール製の矩形桁材とを有していることを特徴とする前記態様（１）乃至（５）の何れか一つに記載のＬＷＣの梱包体構造。
（７）  前記パレット、ＬＷＣ、天蓋部材及び支柱が、帯状の樹脂フィルムによる緊張巻きによって一体的に梱包され、少なくとも、前記積み重ねられる複数個のＬＷＣの側面が、該ＬＷＣの側部に立設された前記支柱と共に、かかる樹脂フィルムにて被覆されていることを特徴とする前記態様（１）乃至（６）の何れか一つに記載のＬＷＣの梱包体構造。
（８）  前記積み重ねられる複数個のＬＷＣの最下段のものと前記パレットとの間、それら積み重ねられる複数個のＬＷＣの相互の間、及びそれら積み重ねられる複数個のＬＷＣの最上段のものと前記天蓋部材との間に、それぞれ、ダンボール製の下部保持プレート、中間保持プレート、及び上部保持プレートが配置されている前記態様（１）乃至（７）の何れか一つに記載のＬＷＣの梱包体構造。
（９）  前記上部保持プレート及び中間保持プレートが、それぞれ、前記ＬＷＣの外径よりも大なる直径のダンボール製円板にて構成されている前記態様（８）に記載のＬＷＣの梱包体構造。
（１０）  前記天蓋部材及び前記支柱が、それぞれ、木製とされている前記態様（１）乃至（９）の何れか一つに記載のＬＷＣの梱包体構造。
【発明の効果】
【００１１】
このように、本発明に従うＬＷＣの梱包体構造にあっては、積み重ねられる複数個のＬＷＣの重量を支持するパレットが、従来の木製に代えて、ダンボール製とされていることにより、パレットの効果的な軽量化が図られ得、以て、梱包体全体としての重量も軽減されることによって、そのような梱包体を取り扱う梱包作業者にとっても、その肉体的負担が、有利に軽減され得ることとなる。
【００１２】
しかも、そのような本発明に従う梱包体構造にあっては、積み重ねられた複数個のＬＷＣの側部に配設される支柱が、パレットを通って、そのパレットの載置される載置面にて支持されるようになっているところから、複数の梱包体が段積みされても、その段積みされた上側の梱包体の荷重は、下側の梱包体において、天蓋部材を介して支柱に伝達され、そして、かかる支柱を支持するパレット載置面に伝達されるようになっているために、パレットには、そのような荷重が実質的に作用することがないのである。このように、天蓋部材を介して加わる荷重を、梱包体側部に配した支柱を通じて、梱包体のパレット載置面にて支持させるという、極めて簡単な構造によって、パレットへの荷重の作用を効果的に回避せしめ得たのである。従って、本発明においては、梱包体におけるダンボール製パレットの、段積み輸送に際しての強度上の問題は、何等惹起されることがないのであり、それ故に、本発明に従う梱包体は、それを段積みして輸送するに適した構造となっているのである。
【００１３】
そして、本発明に従うＬＷＣの梱包体構造にあっては、一般に、少なくとも、組み付けられたパレット、ＬＷＣ、天蓋部材及び支柱が、樹脂フィルムによる梱包によって一体化せしめられるものであるところから、それによって、ＬＷＣの側部に立設された支柱は、梱包体に一体化されて、効果的に保持され得ることとなり、以て、天蓋部材からの荷重を、ＬＷＣやパレットに実質的に作用せしめることなく、パレットが載置される載置面（パレット支持面）に有効に伝達して、支持し得るのである。
【図面の簡単な説明】
【００１４】
【図１】本発明に従うＬＷＣの梱包体構造の一例において、樹脂フィルムを取り除いて梱包用組付体とした状態を示す斜視説明図である。
【図２】図１に示される梱包体構造において用いられるダンボール製パレットの一例を示すものであって、（ａ）は、その斜視説明図であり、（ｂ）は、（ａ）におけるＢ−Ｂ断面説明図である。
【図３】図１に示される梱包用組付体を構成する部材を分解して示す分解斜視説明図である。
【図４】図１におけるＡ−Ａ断面説明図である。
【図５】図４におけるＣ−Ｃ断面説明図である。
【図６】図１に示される梱包用組付体の側面を樹脂フィルムにて緊張巻きして得られた梱包体を示す斜視説明図である。
【図７】図６に示される、樹脂フィルムにて緊張巻きして得られた梱包体の２つを用いて、それらを段積みしてなる形態を示す斜視説明図である。
【図８】図７におけるＤ−Ｄ断面説明図（樹脂フィルムを除く）である。
【図９】本発明に従うＬＷＣの梱包体構造の他の一例を示すものであって、（ａ）は、かかる梱包体の上部の形態を示す斜視部分説明図であり、（ｂ）は、（ａ）におけるＥ−Ｅ断面部分説明図である。
【発明を実施するための形態】
【００１５】
以下、本発明を更に具体的に明らかにするために、本発明の実施の形態について、図面を参照しつつ、詳細に説明することとする。
【００１６】
先ず、図１には、本発明に従うＬＷＣの梱包体構造の一例において、樹脂フィルムを取り外して得られる梱包用組付体が、概略的に示されている。そこにおいて、ＬＷＣの梱包用組付体１０は、ダンボール製のパレット１２と、その上に同心的に積み重ねられた３個のＬＷＣ１４と、それらＬＷＣ１４の各々の上下両側に配置せしめられる、ダンボール製の上部保持プレート１６ａ、中間保持プレート１６ｂ，１６ｂ、及び下部保持プレート１６ｃと、かかる上部保持プレート１６ａの上に配置される十文字形状の天蓋部材１８と、そして、この天蓋部材１８の４つの端部をそれぞれ支持する４本の支柱２０とから、構成されている。
【００１７】
具体的には、かかる梱包用組付体１０を構成する一つの部材であるダンボール製のパレット１２は、図２に示される如く、全体として矩形形状を呈するダンボール板、例えば３層構造等の、適当な層数のダンボール板からなる上面板２２を有している。そして、この上面板２２の下面には、脚部として、それぞれ、４つのダンボール製のＬ字型桁材２４と、４つのダンボール製の矩形桁材２６とが、同じ高さにおいて固設されている。即ち、４つのＬ字型桁材２４は、図２の（ａ）に示される如く、矩形の上面板２２の４つの角部において、そのＬ字の内角が、角部に向かって、従って外方に拡開するように、配設されており、また、４つの矩形桁材２６は、矩形の上面板２２の各辺の中央部に設けられた、所定深さの切欠き凹所２８の内方に位置するように、それぞれ、配設されている。これにより、上面板２２の何れの辺においても、Ｌ字型桁材２４と矩形桁材２６とが、フォークリフトとフォークを差し込むことが出来るような空間をもって、配置されるようになっている。また、かかる切欠き凹所２８は、後述するように、支柱２０が立設せしめられる際に、支柱２０が側方から嵌合せしめられて、保持されるように、側方に開口した形態において、設けられている。更に、そのような支柱２０を保持する切欠き凹所２８は、ここでは、上面板２２に対して、単に切込み加工を施すだけで、容易に形成され得ることとなる。
【００１８】
そして、かくの如きダンボール製のパレット１２を用い、その上に、ＬＷＣ１４の複数個、例えば２〜４個（ここでは、３個）を積み重ねて、図１に示される如き梱包用組付体１０を得るためには、図３に示される如く、パレット１２の上に、下部保持プレート１６ｃ、１個のＬＷＣ１４、中間保持プレート１６ｂ、１個のＬＷＣ１４、更に、中間保持プレート１６ｂ、そして１個のＬＷＣ１４を、順次積み重ね、次いで、最上段のＬＷＣ１４の上に、上部保持プレート１６ａを載置せしめた後、その上に、十文字形状の木製の天蓋部材１８を載せ、そして、この天蓋部材１８の４つの端部を支持するように、４本の板状の支柱２０を、パレット１２の矩形の切欠き凹所２８内に嵌合せしめた状態において、立設させて、組み付けることからなる工程が採用され、これにより、目的とする梱包用組付体１０が作製されることとなるのである。
【００１９】
なお、そこにおいて、積み重ねられる複数個のＬＷＣ１４は、銅管等の管体を整列巻きして形成されるコイル層の複数を、隣接する一方のコイル層の管体が他方のコイル層の管体間の凹所に嵌め込まれるように積層してなる、公知の構造を有しているものである。このようなＬＷＣ１４は、例えば、前述せる特許文献１に図示されている如きトラバース巻きによる、通常の整列巻き方式にて、管体がボビンに巻き回された後、ボビンが取り外されることによって、形成されているものである。そして、そのようなＬＷＣ１４は、一般に、外径：８００〜１０００ｍｍ、幅：２００〜４００ｍｍ程度の寸法を有し、また、その重量は、１００〜３００ｋｇ程度のものである。
【００２０】
また、それらＬＷＣ１４の各々の上下に配置せしめられる上部保持プレート１６ａ、中間保持プレート１６ｂ及び下部保持プレート１６ｃは、各ＬＷＣ１４を保護するためのものであって、有利には、ダンボール製のものとされ、一般に、厚さが５〜２０ｍｍ程度のダンボール板が用いられると共に、ＬＷＣ１４の外径よりも大きなサイズ乃至は直径のものが、使用される。特に、その中でも、上部保持プレート１６ａと中間保持プレート１６ｂは、円形形状とされていることが望ましく、その直径は、パレット１２における上面板２２に設けられた、対応する切欠き凹所２８，２８間の距離に略等しくなるように、構成されていることが望ましい。なお、下部保持プレート１６ｃは、円形形状であっても、矩形形状であっても、差し支えないが、そのサイズは、上部保持プレート１６ａや中間保持プレート１６ｂの直径と略同一とされることとなる。このような大きさの上部、中間、下部保持プレート１６ａ，１６ｂ，１６ｃの使用によって、支柱２０がＬＷＣ１４に直接に接触するようなことが効果的に抑制乃至は阻止され得るのである。
【００２１】
さらに、天蓋部材１８は、ここでは、木製の板材にて、十文字形状の一体化部材として形成されており、そしてその十文字形状の４つの端部において、それぞれ、支柱２０にて当接、支持されるようになっている。即ち、天蓋部材１８は、ＬＷＣ１４の直径方向において、かかるＬＷＣ１４から突出し（ＬＷＣ１４の外径よりも大きく）、更には上部保持プレート１６ａよりも外方に突出する、所定幅の１枚の木製の長尺板１８ａと、この木製の長尺板１８ａに取り付けられて同様な長さを与える、所定幅の２枚の木製の短尺板１８ｂ，１８ｂとから構成されている。具体的には、それら２枚の短尺板１８ｂ，１８ｂが、長尺板１８ａの中央部の両側部に、それぞれ、金具１８ｃ，１８ｃにて、固定せしめられることによって、一体的な十文字形状の部材として、構成されているのである。
【００２２】
そして、そのような十文字形状の天蓋部材１８において、その４つの端部をそれぞれ当接、支持するために、所定幅の木製の板材からなる４本の支柱２０が、パレット１２の切欠き凹所２８に嵌合、収容せしめられてなる形態において、立設されて、組み付けられている。なお、支柱２０は、ここでは木製とされているが、天蓋部材１８から伝達される荷重を支持するに充分な強度を有するものであれば、軽量な金属等の他の材質からなる剛性部材であっても、何等差し支えなく、また、その形状にあっても、板状の他、角柱状や円柱状等の各種の断面形状の柱状材料にて、構成することが可能である。
【００２３】
また、かかる支柱２０は、天蓋部材１８を介して加わる荷重をパレット１２に実質的に伝達しないように、図４に示される如く、パレット１２と３個のＬＷＣ１４と４枚の保持プレート１６ａ，１６ｂ，１６ｂ，１６ｃの合計高さと略同一の長さにおいて、立設せしめられて、天蓋部材１８に作用する荷重が、主として、４本の支柱２０に伝達せしめられ、そして、パレット１２、ひいては梱包用組付体１０が載置される載置面３０にて、直接に支持されるようになっており、これによって、パレット１２上に積み重ねられた３個のＬＷＣ１４には、天蓋部材１８からＬＷＣ１４に問題を惹起させるような荷重が、実質的に作用しないようになっている。
【００２４】
さらに、パレット１２における、側方に開口した矩形の切欠き凹所２８のサイズは、支柱２０の断面形状と略同じ大きさとされ、かかる切欠き凹所２８内に嵌め込まれた支柱２０が、図５に示される如く、隙間（あそび）がないように嵌合せしめられて、しっかりと、パレット１２に保持され得るようになっていると共に、支柱２０の外側面が、パレット１２の上面板２２の外周面と面一とされて、かかる外周面より外方に突出しないようになっている。また、４枚の保持プレート１６ａ〜１６ｃの直径が、上面板２２における対応する切欠き凹所２８，２８間の距離に略等しくされていることによって、４本の支柱２０は、それら保持プレート１６ａ〜１６ｃによって、内側から支持されてなる形態とされ、梱包用組付体１０内側への倒れ込みが阻止され得るようになっている。
【００２５】
そして、かくの如き構成の梱包用組付体１０は、適当な樹脂フィルムを用いた梱包によって、図６に示される如き包装形態の、一体的な梱包体３２とされるのである。ここで、かかるＬＷＣ１４の梱包体３２を梱包する樹脂フィルム３４としては、従来から梱包乃至は包装に用いられている、熱等によって収縮せしめられる収縮性の樹脂フィルムや、伸縮性のある樹脂フィルム等が適宜に用いられ、パレット１２、ＬＷＣ１４、各保持プレート１６ａ〜１６ｃ、天蓋部材１８、及び各支柱２０が、樹脂フィルムにて一体的に緊締されてなる梱包構造とされ、これによって、４本の支柱２０は、更にしっかりと保持され得ることとなる。
【００２６】
なお、そのような樹脂フィルム３４として、ポリエチレン等の樹脂からなる伸縮性の帯状の樹脂フィルムを用い、そのような樹脂フィルムの伸長状態を保ちつつ、梱包用組付体１０の側面、少なくとも、積み重ねられた３個のＬＷＣ１４の側面や、４本の支柱２０、更には保持プレート１６ａ〜１６ｃの側部、そして、天蓋部材１８の端部やパレット１２の上部、具体的には、上面板２２やＬ字型桁材２４の上部等を覆うように、緊張巻きすることによって、換言すればストレッチ包装することにより、更に効果的に緊締された、一体的な梱包体３２を得ることが出来るのであり、本発明では、有利に採用されるところである。
【００２７】
従って、かかる図６に示される如き構成の梱包体３２にあっては、ダンボール製のパレット１２が用いられ、従来の如き、重量の大なる木製のパレットを用いるものではないところから、軽量なパレット１２が効果的に実現され、また、梱包体３２全体の軽量化も、有利に図られ得ることとなるのであって、これにより、梱包体３２の作製作業、更には、そのような梱包体３２の運搬作業に携わる作業者の肉体的負担を、有利に軽減することが出来るのである。
【００２８】
また、かかる例示の梱包体３２におけるパレット１２は、図２に示される如く、矩形形状を呈すると共に、その上面板２２の下面に固設される、脚部としてのＬ字型桁材２４や矩形桁材２６が、所定の間隙を隔てて配設されているところから、梱包体３２のフォークリフトによる搬送に際して、パレット１２の矩形の各辺において、それらＬ字型桁材２４と矩形桁材２６との間隙に、フォークリフトのフォークを差し込んで、梱包体３２を持ち上げ、運搬することが出来るところから、梱包体３２の搬送性においても、優れた利点を有している。
【００２９】
さらに、かくの如くして得られた、ＬＷＣ１４の複数個が積み重ねられてなる梱包体３２は、例えば、図７及び図８に示されるように、複数段に積み上げられて、輸送乃至は搬送に供されることとなる。即ち、そこにおいて、上下の梱包体３２，３２における各支柱２０は、下側の梱包体３２の天蓋部材１８を介して、互いに突き合わされてなる形態において、直列に配列されることとなるのであり、それによって、上側の梱包体３２の荷重が、下側の梱包体３２の天蓋部材１８を介して、下側の梱包体３２の４本の支柱２０に伝達され、そして、それら支柱２０が、下側梱包体３２の載置面３０に当接することによって、かかる載置面３０に支持されるようになるのである。それ故に、下側の梱包体３２には、その支柱２０を除いて、上側の梱包体３２の荷重は殆ど作用することがないために、下側の梱包体３２のパレット１２は、単に、下側梱包体３２の３個のＬＷＣ１４の荷重を支持するだけで足りるところから、強度的に充分に対応し得るものとなり、パレット１２が変形する等の問題は、何等惹起されることがないのである。
【００３０】
以上、本発明の代表的な実施形態について詳述してきたが、それは、あくまでも、例示に過ぎないものであって、本発明は、そのような実施形態に係る具体的な記述によって、何等、限定的に解釈されるものではないことが、理解されるべきである。
【００３１】
例えば、天蓋部材に関して、上記した実施形態においては、１枚の板材を用いた組合せにて、十文字形状の天蓋部材１８が形成されていたが、図９に示される如き、上下２枚の板材を組み合わせて十文字形状とした天蓋部材３８も、有利に用いられることとなる。そのような天蓋部材３８は、上下２枚の板材を組み合わせた長尺板３８ａと、上下２枚の板材を組み合わせた短尺板３８ｂの２つと、それら長尺板３８ａと短尺板３８ｂとを連結する金具３８ｃとから構成されている。そして、そこでは、下側の長尺板３８ａ1 と下側の短尺板３８ｂ1 とが十文字形状に組み合わされて、上部保持プレート１６ａの外周面（外径）に一致する長さの十文字形状とされていると共に、上側の長尺板３８ａ2 と上側の短尺板３８ｂ2 とが十文字形状に組み合わされて、それぞれの端部が、上部保持プレート１６ａの外周面よりも外方に突出せしめられている。これにより、それら上側の長尺板３８ａ2 の端部と下側の長尺板３８ａ1 の端部との間、及び上側の短尺板３８ｂ2 の端部と下側の短尺板３８ｂ1 の端部との間には、それぞれ、段付き部が形成されて、この段付き部に、各支柱２０の上端部が、係止せしめられるようになっている。こうすることによって、天蓋部材３８の水平方向の移動が、各支柱２０の上端部の係止に基づいて、効果的に阻止され、同時に、各支柱２０の内側への変位も阻止されて、梱包形態の崩れ等の問題の発生が有利に回避されることとなる。
【００３２】
なお、上記の天蓋部材３８における長尺板３８ａと短尺板３８ｂは、何れも、上下２枚の板材にて構成されてなるものであるが、勿論、それぞれ、板厚の厚い板材の１枚を用いて、その端部を切り欠き、図９に示される如き、支柱２０の上端部が係止される段付き構造を形成してなる構成を採用することも、可能である。
【００３３】
また、かかる天蓋部材１８，３８は、木製とされる他、軽量な金属材質等の剛性部材にて構成することも可能であり、更に、その形状としては、例示の如き十文字形状の他、円板形状等の形状であっても良く、その上に段積みされる他の梱包体（３２）の荷重を受け、それを支柱２０に伝達し得る形状が、適宜に採用されることとなる。
【００３４】
そして、本発明にあっては、上側に段積みされる梱包体３２の荷重を受けて、下側の梱包体３２の支柱２０に伝達する天蓋部材１８，３８の形状に応じて、支柱２０の数は、適宜に選定されることとなる。
【００３５】
さらに、ダンボール製のパレット１２の構造にあっても、上面板２２と、それを支持する脚部を有する、各種の構造のものを用いることが出来、図２に示される如き、フォークリフトのフォークが四方から挿入され得るようにした構造のパレット１２の他にも、脚部として、上面板２２の下面に取り付けることが可能な、各種の形状の桁材を、採用することが出来る。
【００３６】
その他、一々列挙はしないが、本発明は、当業者の知識に基づいて、種々なる変更、修正、改良等を加えた態様において実施され得るものであり、そして、そのような実施態様が、本発明の趣旨を逸脱しない限りにおいて、何れも、本発明の範疇に属するものであることは、言うまでもないところである。
【符号の説明】
【００３７】
１０    梱包用組付体                    １２    パレット
１４    ＬＷＣ                          １６ａ，１６ｂ，１６ｃ  保持プレート
１８，３８    天蓋部材                  １８ａ，３８ａ  長尺板
１８ｂ，３８ｂ  短尺板                  １８ｃ，３８ｃ  金具
２０    支柱                            ２２    上面板
２４    Ｌ字型桁材                      ２６    矩形桁材
２８    切欠き凹所                      ３０    載置面
３２    梱包体                          ３４    樹脂フィルム
【図１】
2012062068.tif 000003
【図２】
2012062068.tif 000004
【図３】
2012062068.tif 000005
【図４】
2012062068.tif 000006
【図５】
2012062068.tif 000007
【図６】
2012062068.tif 000008
【図７】
2012062068.tif 000009
【図８】
2012062068.tif 000010
【図９】
2012062068.tif 000011